(57)【要約】【課題】  放射パターンの軸対称性を、他特性を損なうことなく、容易に調整することができ、かつ安価に製造できる構造のホーンアンテナを提供する。【解決手段】  ホーンアンテナは、円形導波管４の先端部に同心円筒形状の外筒部５が配置され、外筒部５の基端部が円形導波管４の先端部外周面に連結部６を介して連結されたチョーク構造を備えている。外筒部５の先端開口部５ａの位置が円形導波管４の先端開口面４ａの位置と近接する位置に配置されている。外筒部５の外壁に外筒部５の周方向に１８０°離れた位置にそれぞれ外筒部５の中心方向に向けて突出された一対の突起部１５、１６を有する。一対の突起部１５、１６は、開口面の中心線を挟み対向する位置に設けられている。【選択図】図１
2017069701.tif 000002
【特許請求の範囲】
【請求項１】
円形導波管の先端部に前記円形導波管の管径よりも大径な同心円筒形状の外筒部が配置され、前記外筒部の基端部が前記円形導波管の先端部外周面にリング状の連結部を介して連結されたチョーク構造を備え、前記外筒部の先端開口部を開口面とするホーンアンテナであって、
前記外筒部の前記先端開口部の位置が前記円形導波管の先端開口面の位置と近接する位置に配置され、
前記外筒部の外壁に前記外筒部の周方向に１８０°離れた位置にそれぞれ前記外筒部の中心方向に向けて突出された少なくとも一対の突起部、または前記円形導波管の外周面に前記円形導波管の周方向に１８０°離れた位置にそれぞれ前記円形導波管の径方向外向きに突出された少なくとも一対の突起部のいずれか一方を有し、
一対の前記突起部は、前記開口面の中心線を挟み対向する位置に設けられていることを特徴とするホーンアンテナ。
【請求項２】
前記一対の突起部は、前記円形導波管の伝送基本モードにおけるＥ面に形成されていることを特徴とする請求項１に記載のホーンアンテナ。
【請求項３】
前記一対の突起部は、円柱状の金属ピンであることを特徴とする請求項１に記載のホーンアンテナ。
【請求項４】
前記金属ピンは、前記金属ピンの中心線方向に移動調整可能な位置調整部を有することを特徴とする請求項３に記載のホーンアンテナ。
【請求項５】
前記位置調整部は、前記外筒部の外壁に形成されたねじ穴部と、前記金属ピンの外周面に前記ねじ穴部にねじ込み可能に形成された雄ねじ部とを有することを特徴とする請求項４に記載のホーンアンテナ。
【請求項６】
前記外筒部は、前記外壁に直交する２方向にそれぞれ前記一対の突起部を有し、
いずれか一対の前記突起部は、前記円形導波管の伝送基本モードにおけるＥ面に形成され、
他の一対の前記突起部は、前記円形導波管の伝送基本モードにおけるＨ面に形成されていることを特徴とする請求項１に記載のホーンアンテナ。
【請求項７】
前記外筒部の一対の前記突起部の各々の内端部の先端は前記円形導波管の外壁に近接する位置まで延出されていることを特徴とする請求項１に記載のホーンアンテナ。
【請求項８】
前記円形導波管の一対の前記突起部の各々の外端部の先端は前記外筒部の内壁に近接する位置まで延出されていることを特徴とする請求項１に記載のホーンアンテナ。
【発明の詳細な説明】
【技術分野】
【０００１】
本発明の実施形態は、反射鏡アンテナ給電用一次放射器に用いるホーンアンテナに関する。
【背景技術】
【０００２】
導波管の開口面あるいは導波管を波の伝搬方向に相似拡張した開口面を波源とするアンテナは、一般にホーンアンテナと呼ばれている。ホーンアンテナは、放送衛星及び通信衛星等のマイクロ波を送受信するパラボラアンテナ等の反射鏡アンテナにおける一次放射器として用いられている。図１０は、反射鏡アンテナの概略構成を示す。図１０中で、１は、円形凹面型の放物面を有する反射鏡、２は、反射鏡１の凹面の中心位置から前方に離れた位置に配置された一次放射器である。一次放射器２から反射鏡１の凹面に電波を放射し、反射鏡１の凹面で反射した電波を反射鏡１の前方の空間に放射する。なお、図１０中で矢印の範囲は、一次放射器２から反射鏡１の凹面に向けて放射する電波の有効放射域を示す。
【０００３】
一次放射器２としての円錐ホーンアンテナは、導波管が円形導波管のホーンアンテナである。その放射パターンを定める開口面の電界分布は、円形導波管の伝搬固有モードの電界分布となる。通常は遮断周波数が最も低い主モードであるＴＥ１１モードのみが伝搬するように導波管径が選ばれるので、円形導波管の開口面での電界分布も、ＴＥ１１モードの電界分布となる。
【０００４】
図１１（Ａ）〜（Ｃ）は、円錐ホーンアンテナの一次放射器２から放射される電波の電界分布を示すものである。ここで、図１１（Ａ）は、一次放射器２から放射される電波によって発生する電界ベクトル、図１１（Ｂ）は、電界ベクトルの向きと平行な方向に発生するＥ面の電界分布、図１１（Ｃ）は、電界ベクトルの向きと直交する方向に発生するＨ面の電界分布である。
【０００５】
ＴＥ１１モードの電界分布は図１１（Ｂ）に示すように、Ｅ面（ＸＺ面）の放射界を定めるＸ軸上の電界分布と、図１１（Ｃ）に示すように、Ｈ面（ＹＺ面）の放射界を定めるＹ軸上の電界分布が異なっている。これに従い該放射界より算出されるサイドローブ抑圧度等のアンテナ諸特性もＥ面、Ｈ面各々の観測面によって異なったものとなる。図１１（Ｂ）のＸ軸における円形導波管の開口面の管壁の電界は０ではない値であり、一方、図１１（Ｃ）のＹ軸における円形導波管の開口面の管壁の電界は０である。そのため、放射波源の一様性という点からは、Ｅ面放射界を与えるＸ軸上の波源の方がＨ面放射界を与えるＹ軸上の波源よりも一様度が高いということになる。これによりＥ面での主ビーム幅がＨ面でのそれよりも狭く、サイドローブレベルが高くなる。従ってこのようなホーンアンテナを一次放射器２とした反射鏡アンテナの放射パターンも軸対称性はなく、その放射特性には一次放射器の特性が反映されることになる。
【０００６】
円形導波管の開口面における電界分布の軸依存を解消する構造としてチョーク構造が知られている。図１２は、チョーク構造をもつ円形導波管の一次放射器３の一例の縦断面図である。この一次放射器３は、円形導波管４の先端部にこの円形導波管４の管径よりも大径な同心円筒形状の外筒部（チョーク）５が設けられている。外筒部５の基端部は、リング状の連結部６を介して円形導波管４の先端部外周面に連結されている。外筒部５の先端開口部（チョーク開口面）５ａは、円形導波管４の先端開口部４ａよりも前方に突出されている。
【０００７】
図１２中のａは、円形導波管４の先端開口部４ａの位置と外筒部５の先端開口部５ａの位置との間の距離である。図１２中のｂは、通常、使用周波数の波長の１／４程度に選ばれる。該構造において放射界を定める開口面はチョーク部である外筒部５の先端開口部５ａの開口面となる。従ってａが０の場合は、電界分布の軸依存を解消する効果はないが、これを長くするに従い当該経路において電界分布の平滑化がなされる。そのため、放射波源となるチョーク部の開口面においては、その電界分布の軸依存性が解消されることになる。また、これによりＥ面、Ｈ面の放射パターンの同一性も高まる。
【０００８】
図１３は、図１２の一次放射器３のａ、ｂが各々１５ｍｍ、１５ｍｍ、円形導波管４の先端開口部４ａの開口径、外筒部５の先端開口部５ａの開口径が各々５６．６ｍｍ、９２.６ｍｍである場合の５３１０ＭＨｚでの放射パターンである。図１４は、これを一次放射器３とした、焦点距離ｆ＝２．８ｍ、開口径Ｄ＝７ｍのパラボラ反射鏡での放射パターンのシミュレーション結果である。また、図１５は、一次放射器３のａ、ｂが各々０ｍｍ、１５ｍｍである場合の放射パターン、図１６は、これを一次放射器３とした前記同様のパラボラ反射鏡での放射パターンである。いずれの図においても実線がＥ面、破線がＨ面パターンである。図１３に示されるように外筒部５の先端開口部５ａの開口面と円形導波管４の先端開口部４ａの開口面の距離をとったａ＝１５ｍｍの通常のチョーク構造の放射パターンと、図１５に示されるａ＝０ｍｍの場合のチョーク構造の放射パターンとを比べると次のとおりである。すなわち、図１３の放射パターンの場合は、Ｅ面、Ｈ面放射パターンの同一性は、外筒部５の先端開口部５ａの開口面を円形導波管４の先端開口部４ａの開口面まで後退させた図１５に示されるａ＝０ｍｍの場合の放射パターンに比べ高まる。
【先行技術文献】
【特許文献】
【０００９】
【特許文献１】特開２００２−２６１５０２号公報
【発明の概要】
【発明が解決しようとする課題】
【００１０】
しかしながら、図１３に示される放射パターンのパターン形状は傾斜部が直線的で膨らみがなくガウシアン形状から乖離したものとなってくる。これにより図１４に示す反射鏡パターンでのサイドローブ特性がＥ面、Ｈ面ともに図１６で示すａ＝０ｍｍの場合に比べ悪くなる。このように従来のチョーク構造では反射鏡でのサイドローブ特性を劣化させない放射パターン形状を維持しつつ、しかもＥ面、Ｈ面放射パターンを同じにすることは困難である。
【００１１】
また、円形導波管４の先端開口部４ａの開口面における電界分布の軸依存を解消する他の方法として複合モードを使うものがある。これは、円形導波管４の基本モードであるＴＥ１１に次モードであるＴＭ１１を適量付加することにより、円形導波管４の先端開口部４ａの開口面パターンの軸対称性を得る方法である。
【００１２】
このように位相を含めたＴＥ１１モードの適量をＴＥ１１モードに付加することにより、円形導波管４の先端開口部４ａの開口面パターンの軸対称性が得られる。導波管に不連続部を設けることによりＴＭ１１モードを発生させ、円形導波管４の先端開口部４ａの開口面にてＴＥ１１との合成されるよう構造寸法設計がなされる。
【００１３】
しかしながら、モード合成は位相含みの和であるので、軸対称性を得るための位相ずれに対する許容度は極めて狭くなる。これにより、構造寸法に対する精度は厳しいものとなる。従って、有効周波数領域も狭いものとなる。
【００１４】
本実施形態は、放射パターンの軸対称性を、他の特性を損なわずに、かつ簡単な構造で実現することを課題とする。従来のチョーク構造では、軸対称性とそれを一次放射器とした反射鏡のサイドローブ特性がトレードオフとなる。複合モードによる方法は、構造が複雑となる上、各部寸法に対し極めて厳しい精度が不可欠となる。また、使用できる周波数域も非常に狭いものとなる。
【００１５】
したがって、本実施形態では、放射パターンの軸対称性を、他特性を損なうことなく、容易に調整することができ、かつ安価に製造できる構造のホーンアンテナを提供するものである。
【課題を解決するための手段】
【００１６】
実施形態のホーンアンテナは、円形導波管の先端部に前記円形導波管の管径よりも大径な同心円筒形状の外筒部が配置され、前記外筒部の基端部が前記円形導波管の先端部外周面にリング状の連結部を介して連結されたチョーク構造を備え、前記外筒部の先端開口部を開口面とするホーンアンテナである。前記外筒部の前記先端開口部の位置が前記円形導波管の先端開口面の位置と近接する位置に配置されている。前記外筒部の外壁に前記外筒部の周方向に１８０°離れた位置にそれぞれ前記外筒部の中心方向に向けて突出された少なくとも一対の突起部を有する。一対の前記突起部は、前記開口面の中心線を挟み対向する位置に設けられている。
【図面の簡単な説明】
【００１７】
【図１】図１は、第１の実施形態のホーンアンテナの斜視図である。
【図２】図２は、第１の実施形態のホーンアンテナの要部を拡大して示した斜視図である。
【図３】図３は、第１の実施形態のホーンアンテナの正面図である。
【図４】図４は、第１の実施形態のホーンアンテナの縦断面図である。
【図５】図５は、第１の実施形態のホーンアンテナの要部を拡大して示した縦断面図である。
【図６】図６は、第１の実施形態のホーンアンテナのシミュレーションでの放射パターン特性を示す特性図である。
【図７】図７は、第１の実施形態のホーンアンテナの反射鏡での放射パターンを示す特性図である。
【図８】図８は、第１の実施形態のホーンアンテナの実際の放射器での実測放射パターンを示す特性図である。
【図９】図９は、第１の実施形態のホーンアンテナの変形例の正面図である。
【図１０】図１０は、反射鏡アンテナの概略構成を示す概略構成図である。
【図１１】図１１は、円錐ホーンアンテナの開口面に形成される電界分布を示し、（Ａ）は一次放射器の開口面に形成される電界ベクトルを示す図、（Ｂ）は電界ベクトルの向きと平行な方向（Ｅ面）に発生する電界分布を示す図、（Ｃ）は電界ベクトルの向きと平行な方向と直交する方向（Ｈ面）に発生する電界分布を示す図である。
【図１２】図１２は、チョーク構造をもつ円形導波管のホーンアンテナの一例を示す縦断面図である。
【図１３】図１３は、図１１のホーンアンテナの放射パターンを示す特性図である。
【図１４】図１４は、図１１のホーンアンテナのパラボラ反射鏡での放射パターンのシミュレーション結果を示す特性図である。
【図１５】図１５は、ホーンアンテナの他の構成例の放射パターンを示す特性図である。
【図１６】図１６は、図１４のホーンアンテナのパラボラ反射鏡での放射パターンのシミュレーション結果を示す特性図である。
【発明を実施するための形態】
【００１８】
図１乃至図８は、第１の実施形態を示す。図１は、本実施形態のホーンアンテナ１１の斜視図である。図２は、図１のホーンアンテナ１１の要部を拡大して示した斜視図である。図３は、第１の実施形態のホーンアンテナ１１の正面図である。図４は、第１の実施形態のホーンアンテナ１１の縦断面図である。
【００１９】
本実施形態のホーンアンテナ１１は、例えば５ＧＨｚ帯円形導波管の反射鏡アンテナ給電用の一次放射器である。ホーンアンテナ１１は、円形導波管１２の先端部に円形導波管１２の管径よりも大径な同心円筒形状の外筒部（チョーク）１３が配置されている。外筒部１３の基端部は、円形導波管１２の先端部外周面にリング状の連結部１４を介して連結されている。これにより、円形導波管１２と外筒部１３とにより、外筒部１３の先端開口部１３ａを開口面とするチョーク構造が形成されている。
【００２０】
外筒部１３の先端開口部１３ａの開口面の位置は、円形導波管１２の先端開口部１２ａの開口面の位置と近接する位置に配置されている。本実施形態では、円形導波管１２の先端開口部１２ａの開口面は、外筒部１３の先端開口部１３ａの開口面と同じ位置である（図４参照）。ここで、円形導波管１２の先端開口部１２ａの開口径は、例えば５６．６ｍｍ、外筒部１３の先端開口部１３ａの開口径は、例えば９２．６ｍｍである。
【００２１】
また、外筒部１３の外壁には、この外筒部１３の周方向に１８０°離れた位置にそれぞれ外筒部１３の中心方向に向けて突出された一対の突起部（第１突起部１５と第２突起部１６）を有する。これらの第１突起部１５と第２突起部１６は、外筒部１３の先端開口部１３ａの開口面の中心線を挟み対向する位置に設けられている。さらに、これらの第１突起部１５と第２突起部１６は、各々の内端部の先端が円形導波管１２の外壁に近接する位置まで延出されている。なお、第１突起部１５と第２突起部１６の長さは、少なくとも円形導波管１２の先端開口部１２ａと外筒部１３の先端開口部１３ａとの間の間隔Ｌ１の１／２以上で、各々の内端部の先端が円形導波管１２の外壁に接触しない長さに設定されている。これらの第１突起部１５と第２突起部１６は、円形導波管１２の伝送基本モードであるＴＥ１１モードにおけるＥ面に形成されている。
【００２２】
さらに、これらの第１突起部１５と第２突起部１６は、円柱状の金属ピンで形成されている。具体的には、これらの第１突起部１５と第２突起部１６は、例えば径が２．５ｍｍ、長さが１０ｍｍ、各ピンの中心線位置は、外筒部１３の先端開口部１３ａの開口面の位置から２ｍｍの位置に配置されている。
【００２３】
また、本実施形態では、モード励振が９０°回転した場合（励振が９０°回転しているため９０°回転した「Ｅ面」に対して作用する）に備え、外筒部１３の外壁には、この外筒部１３の周方向に１８０°離れた位置にそれぞれ外筒部１３の中心方向に向けて突出された一対の突起部（第３突起部１７と第４突起部１８）が形成されている。これらの第３突起部１７と第４突起部１８とを結ぶ直線は、第１突起部１５と第２突起部１６とを結ぶ直線に対して直交する位置関係に配置されている。なお、励振方向が一方向である場合には、Ｈ面の第３突起部１７と第４突起部１８は不要である。
【００２４】
次に、上記構成のホーンアンテナ１１の作用について説明する。本実施形態のホーンアンテナ１１は、図１１に示すようにＴＥ１１モードは、Ｅ面の管壁あるいは管壁近傍では、電界がＨ面とは違い０ではない。図１１に示すＸ軸方向の電界である。本実施形態のホーンアンテナ１１のように、ＴＥ１１モードにおけるＥ面に第１突起部１５と第２突起部１６がある場合、これら第１突起部１５と第２突起部１６の向きはＸ軸方向、つまり元々のＴＥ１１モードの外筒部１３の管壁近傍の電界の方向である。第１突起部１５と第２突起部１６の突起素材は、外筒部１３の外壁と同じく、あるいは外筒部１３の外壁と一体化された金属である。そのため、Ｘ軸方向の外筒部１３の管壁の近傍の電界は弱まる。
【００２５】
従って、外筒部１３の先端開口部１３ａの開口面、あるいは開口面に近接した面上にてＥ面（Ｘ軸上）での電界に注目すれば、外筒部１３の端部である管壁あるいは管壁近傍においては０となり、Ｈ面（Ｙ軸上）の電界分布に近似することになる。一方、Ｈ面の第３突起部１７と第４突起部１８については電界が元々０、乃至は極めて小さい箇所への挿入であるので、電界分布に与える影響は無視できる。
【００２６】
図６は本実施形態のホーンアンテナ１１でのシミュレーションでの放射パターン特性を示す特性図である。図６は、ホーンアンテナ１１としての放射パターン、図７は、例えば焦点距離が２．８ｍ、開口径が７ｍ、開き角が６４°の反射鏡１（図１０参照）を設けた場合の反射鏡放射パターンである。図６中で、実線がＥ面、破線がＨ面の放射パターンである。
【００２７】
図６に示すようにホーンアンテナ１１として実際に機能する開き角内領域における放射パターンはＥ面、Ｈ面で一致している。この場合、図１５に示すように金属突起部がない場合の放射パターンと比べ、著しく面方位依存性につき改善されていることがわかる。また、図６に示す放射パターンは、ホーンアンテナ１１のガウシアン相似形状が維持されている。そのため、図１３に示す通常のチョーク構造の放射パターンと比べた場合、その形状差異は明らかである。これを反映し、図７に示される反射鏡パターンでのサイドローブ特性は、図１４で示される通常のチョーク構造の場合に比べ改善されており、図１６で示される金属突起がない場合のサイドローブ特性が維持されている。
【００２８】
なお、本実施形態では、一例として周波数は、５３１０ＭＨｚの場合を示しているが、５２５０〜５３７０ＭＨｚの広い領域にわたり良好な軸対称性、並びにサイドローブ特性を示す。
【００２９】
また、図８は、本実施形態のホーンアンテナ１１における５３１０ＭＨｚでの実際の放射パターン実測図である。ここでは、−１２０°〜１２０°の実測領域パターンを示している。測定全領域において図６のシミュレーション結果と一致し、−９０°〜９０°の範囲においては、Ｅ面、Ｈ面パターンが同じになることが確認できる。
【００３０】
そこで、上記構成のものにあっては次の効果を奏する。すなわち、本実施形態のホーンアンテナ１１では、チョーク構造の円形導波管１２の外筒部１３の先端開口部１３ａの位置が円形導波管１２の先端開口部１２ａの位置と近接する位置に配置されている。さらに、外筒部１３の外壁に外筒部１３の周方向に１８０°離れた位置にそれぞれ外筒部１３の中心方向に向けて突出された第１突起部１５と第２突起部１６を有する。一対の突起部（第１突起部１５と第２突起部１６）は、外筒部１３の先端開口部１３ａの開口面の中心線を挟み対向する位置に設けられ、第１突起部１５と第２突起部１６の各々の内端部の先端は円形導波管１２の外壁に近接する位置まで延出されている。そのため、本実施形態では、放射パターンの軸対称性を、他特性を損なうことなく、容易に調整することができ、かつ安価に製造できる構造のホーンアンテナ１１を提供することができる。
【００３１】
なお、第１の実施形態のホーンアンテナ１１の構成を次の通り変更してもよい。本変形例は、外筒部１３の第１突起部１５と第２突起部１６の金属ピンに、この金属ピンの中心線方向に移動調整可能な位置調整部を設けたものである。この位置調整部は、外筒部１３の外壁に形成された図示しないねじ穴部と、金属ピンの外周面にねじ穴部にねじ込み可能に形成された雄ねじ部とを有する。そして、第１突起部１５と第２突起部１６の各金属ピンの雄ねじ部と、外筒部１３のねじ穴部との螺合部を介して連結させている。これにより、第１突起部１５と第２突起部１６の各金属ピンのねじ込み量を調整することにより、第１突起部１５および第２突起部１６の各々の内端部の先端と、円形導波管１２の外壁との間の距離を任意に調整することができる。そのため、ホーンアンテナ１１の放射パターンの軸対称性を、他特性を損なうことなく、容易に調整することができ、かつ安価に製造できる構造のホーンアンテナ１１を提供することができる。
【００３２】
また、図９は、第１の実施形態のホーンアンテナ１１の変形例の正面図である。本変形例は、円形導波管１２の外周面にそれぞれ円形導波管１２の径方向外向きに突出された一対の突起部（第１突起部１５ａと第２突起部１６ａ）を設けた例である。第１突起部１５ａと第２突起部１６ａは、円形導波管１２の周方向に１８０°離れた位置に配置されている。これらの第１突起部１５ａと第２突起部１６ａは、各々の外端部の先端が外筒部１３の内周面に近接する位置まで延出されている。なお、第１突起部１５ａと第２突起部１６ａの長さは、少なくとも円形導波管１２の先端開口部１２ａと外筒部１３の先端開口部１３ａとの間の間隔Ｌ１の１／２以上で、各々の外端部の先端が外筒部１３の内周面に接触しない長さに設定されている。これらの第１突起部１５ａと第２突起部１６ａは、円形導波管１２の伝送基本モードであるＴＥ１１モードにおけるＥ面に形成されている。
【００３３】
本変形例でも第１の実施形態と同様の効果が得られる。
【００３４】
これらの実施形態およびその変形例によれば、放射パターンの軸対称性を、他特性を損なことなく、容易かつ安価に製造できる構造のホーンアンテナを提供することができる。
【００３５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３６】
１…反射鏡、２…一次放射器、３…一次放射器、４…円形導波管、４ａ…先端開口部、５…外筒部、５ａ…先端開口部、６…連結部、１１…ホーンアンテナ、１２…円形導波管、１２ａ…先端開口部、１３…外筒部、１３ａ…先端開口部、１４…連結部、１５…第１突起部、１６…第２突起部、１７…第３突起部、１８…第４突起部、Ｌ１…間隔。
【図１】
2017069701.tif 000003
【図２】
2017069701.tif 000004
【図３】
2017069701.tif 000005
【図４】
2017069701.tif 000006
【図５】
2017069701.tif 000007
【図６】
2017069701.tif 000008
【図７】
2017069701.tif 000009
【図８】
2017069701.tif 000010
【図９】
2017069701.tif 000011
【図１０】
2017069701.tif 000012
【図１１】
2017069701.tif 000013
【図１２】
2017069701.tif 000014
【図１３】
2017069701.tif 000015
【図１４】
2017069701.tif 000016
【図１５】
2017069701.tif 000017
【図１６】
2017069701.tif 000018
【手続補正書】
【提出日】平成28年12月21日(2016.12.21)
【手続補正１】
【補正対象書類名】特許請求の範囲
【補正対象項目名】全文
【補正方法】変更
【補正の内容】
【特許請求の範囲】
【請求項１】
円形導波管の先端部に前記円形導波管の管径よりも大径な同心円筒形状の外筒部が配置され、前記外筒部の基端部が前記円形導波管の先端部外周面にリング状の連結部を介して連結されたチョーク構造を備え、前記外筒部の先端開口部を開口面とするホーンアンテナであって、
前記外筒部の前記先端開口部の位置が前記円形導波管の先端開口面の位置と近接する位置に配置され、
前記外筒部の外壁に前記外筒部の周方向に１８０°離れた位置にそれぞれ前記外筒部の中心方向に向けて突出された少なくとも一対の突起部、または前記円形導波管の外周面に前記円形導波管の周方向に１８０°離れた位置にそれぞれ前記円形導波管の径方向外向きに突出された少なくとも一対の突起部のいずれか一方を有し、
一対の前記突起部は、前記開口面の中心線を挟み対向する位置に設けられている円柱状の金属ピンであり、
前記金属ピンは、前記金属ピンの中心線方向に移動調整可能な位置調整部を有することを特徴とするホーンアンテナ。
【請求項２】
前記一対の突起部は、前記円形導波管の伝送基本モードにおけるＥ面に形成されていることを特徴とする請求項１に記載のホーンアンテナ。
【請求項３】
前記位置調整部は、前記外筒部の外壁に形成されたねじ穴部と、前記金属ピンの外周面に前記ねじ穴部にねじ込み可能に形成された雄ねじ部とを有することを特徴とする請求項１に記載のホーンアンテナ。
【請求項４】
前記外筒部は、前記外壁に直交する２方向にそれぞれ前記一対の突起部を有し、
いずれか一対の前記突起部は、前記円形導波管の伝送基本モードにおけるＥ面に形成され、
他の一対の前記突起部は、前記円形導波管の伝送基本モードにおけるＨ面に形成されていることを特徴とする請求項１に記載のホーンアンテナ。
【請求項５】
前記外筒部の一対の前記突起部の各々の内端部の先端は前記円形導波管の外壁に近接する位置まで延出されていることを特徴とする請求項１に記載のホーンアンテナ。
【請求項６】
前記円形導波管の一対の前記突起部の各々の外端部の先端は前記外筒部の内壁に近接する位置まで延出されていることを特徴とする請求項１に記載のホーンアンテナ。
【手続補正２】
【補正対象書類名】明細書
【補正対象項目名】００１６
【補正方法】変更
【補正の内容】
【００１６】
実施形態のホーンアンテナは、円形導波管の先端部に前記円形導波管の管径よりも大径な同心円筒形状の外筒部が配置され、前記外筒部の基端部が前記円形導波管の先端部外周面にリング状の連結部を介して連結されたチョーク構造を備え、前記外筒部の先端開口部を開口面とするホーンアンテナである。前記外筒部の前記先端開口部の位置が前記円形導波管の先端開口面の位置と近接する位置に配置されている。前記外筒部の外壁に前記外筒部の周方向に１８０°離れた位置にそれぞれ前記外筒部の中心方向に向けて突出された少なくとも一対の突起部を有する。一対の前記突起部は、前記開口面の中心線を挟み対向する位置に設けられている円柱状の金属ピンであり、前記金属ピンは、前記金属ピンの中心線方向に移動調整可能な位置調整部を有する。
【手続補正３】
【補正対象書類名】明細書
【補正対象項目名】００３５
【補正方法】変更
【補正の内容】
【００３５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。  
以下に、本願出願の当初の特許請求の範囲に記載された発明を付記する。 
［１］円形導波管の先端部に前記円形導波管の管径よりも大径な同心円筒形状の外筒部が配置され、前記外筒部の基端部が前記円形導波管の先端部外周面にリング状の連結部を介して連結されたチョーク構造を備え、前記外筒部の先端開口部を開口面とするホーンアンテナであって、前記外筒部の前記先端開口部の位置が前記円形導波管の先端開口面の位置と近接する位置に配置され、前記外筒部の外壁に前記外筒部の周方向に１８０°離れた位置にそれぞれ前記外筒部の中心方向に向けて突出された少なくとも一対の突起部、または前記円形導波管の外周面に前記円形導波管の周方向に１８０°離れた位置にそれぞれ前記円形導波管の径方向外向きに突出された少なくとも一対の突起部のいずれか一方を有し、一対の前記突起部は、前記開口面の中心線を挟み対向する位置に設けられていることを特徴とするホーンアンテナ。 
［２］前記一対の突起部は、前記円形導波管の伝送基本モードにおけるＥ面に形成されていることを特徴とする［１］に記載のホーンアンテナ。 
［３］前記一対の突起部は、円柱状の金属ピンであることを特徴とする［１］に記載のホーンアンテナ。 
［４］前記金属ピンは、前記金属ピンの中心線方向に移動調整可能な位置調整部を有することを特徴とする［３］に記載のホーンアンテナ。 
［５］前記位置調整部は、前記外筒部の外壁に形成されたねじ穴部と、前記金属ピンの外周面に前記ねじ穴部にねじ込み可能に形成された雄ねじ部とを有することを特徴とする［４］に記載のホーンアンテナ。 
［６］前記外筒部は、前記外壁に直交する２方向にそれぞれ前記一対の突起部を有し、いずれか一対の前記突起部は、前記円形導波管の伝送基本モードにおけるＥ面に形成され、他の一対の前記突起部は、前記円形導波管の伝送基本モードにおけるＨ面に形成されていることを特徴とする［１］に記載のホーンアンテナ。 
［７］前記外筒部の一対の前記突起部の各々の内端部の先端は前記円形導波管の外壁に近接する位置まで延出されていることを特徴とする［１］に記載のホーンアンテナ。 
［８］前記円形導波管の一対の前記突起部の各々の外端部の先端は前記外筒部の内壁に近接する位置まで延出されていることを特徴とする［１］に記載のホーンアンテナ。